(57)【特許請求の範囲】
【請求項１】
患者へ栄養を補給しまたは医療液剤を注入するように構成された経腸補給または注入ポンプにチューブ（１０）を係合するためのピンチクランプ組立体であって、
ベース（１）に動作可能に係合した状態で前記チューブ（１０）を保持するための保持手段（３）と、第１のクランプ面（４）と、コネクタ（６）を支持するための支持手段（５）とを有するベース（１）と、
第２のクランプ面（８）を有するクランプ要素（７）であって、前記第２のクランプ面が、前記チューブ（１０）に係合可能であると共に、前記チューブ（１０）を通じた液体の流れを可能にする開放位置と、前記クランプ要素（７）により前記チューブ（１０）を閉塞する閉鎖位置との間を移動可能であるクランプ要素と、
患者のポートにチューブを接続するためのコネクタ（６）であって、当該ピンチクランプ組立体から取り外し可能なコネクタと、
ばね（１２）と、
を備え、
前記コネクタ（６）が、前記クランプ要素（７）に係合して前記クランプ要素（７）を前記開放位置に保持するように構成され、
前記コネクタ（６）が当該ピンチクランプ組立体から取り外されるとすぐに前記クランプ要素（７）が前記ばね（１２）の力により前記開放位置から前記閉鎖位置へ付勢され、
前記クランプ要素（７）が、前記コネクタ（６）を取り外した後に当該ピンチクランプ組立体を前記経腸補給または注入ポンプへ装着したときに、前記閉鎖位置から前記開放位置へ移動されるように構成されたピンチクランプ組立体。
【請求項２】
前記クランプ要素（７）が前記ベース（１）にヒンジ留めされる、請求項１に記載のピンチクランプ組立体。
【請求項３】
前記コネクタ（６）が経腸スパイク、ＩＶスパイク、経腸補給アダプタ、ＩＶルアーロックアダプタまたは他の経腸もしくはＩＶ構成要素である、請求項１または２に記載のピンチクランプ組立体。
【請求項４】
前記コネクタ（６）が前記クランプ要素（７）および／または前記支持手段（５）へねじ結合される、請求項１〜３のいずれか一項に記載のピンチクランプ組立体。
【請求項５】
前記ベース（１）が、当該ピンチクランプ組立体を前記経腸補給または注入ポンプに一体に装着可能なカセットとして形成される、請求項１〜４のいずれか一項に記載のピンチクランプ組立体。
【請求項６】
前記チューブ（１０）を更に備え、
前記ベース（１）、前記クランプ要素（７）および前記コネクタ（６）が熱可塑性プラスチックなどの再生利用可能なプラスチック材料で作られ、前記ばね（１２）が金属で作られ、前記チューブ（１０）がシリコンで作られる、請求項１〜５のいずれか一項に記載のピンチクランプ組立体。
【請求項７】
前記ベース（１）が、前記ばね（１２）を収容するための円筒状の保持要素（１４）を有する、請求項１〜６のいずれか一項に記載のピンチクランプ組立体。
【請求項８】
前記クランプ要素（７）が、チューブ閉塞部（１７）を伴う第１の脚部（１５）と、前記ばね（１２）に係合するための手段（１６）および前記コネクタ（６）に係合するための保持部（１８）を有する第２の脚部（１９）と、前記ベース（１）上の適当な座部（２１）に係合するように構成されたスイベルピン（２０）とを有する、請求項１〜７のいずれか一項に記載のピンチクランプ組立体。
【請求項９】
前記保持部（１８）が、前記コネクタ（６）の先端を収容するように構成されたキャップとして構成される、請求項８に記載のピンチクランプ組立体。
【請求項１０】
前記第１および／または第２のクランプ面（４、８）が凹凸を有し、波形を付けられ、またはフィンを有する、請求項１〜９のいずれか一項に記載のピンチクランプ組立体。
【請求項１１】
前記ベース（１）が第１の内壁（２２）と第２の内壁（２３）を有し、前記第１の内壁と前記第２の内壁の間に前記クランプ要素（７）が配置される、請求項１〜１０のいずれか一項に記載のピンチクランプ組立体。
【請求項１２】
請求項１〜１１のいずれか一項に記載のピンチクランプ組立体と、前記クランプ要素（７）に係合するように構成された解放手段とを備える、経腸補給または注入ポンプ。
【請求項１３】
前記ピンチクランプ組立体が当該経腸補給または注入ポンプに装着されているときにのみ、前記チューブ（１０）を通じた流れが可能となる、請求項１２に記載の経腸補給または注入ポンプ。
【発明の詳細な説明】
【技術分野】
【０００１】
本発明は、患者へ栄養を補給するように構成された経腸補給ポンプまたは医療液剤を注入するように構成された注入ポンプにチューブを係合するためのピンチクランプ組立体に関する。より具体的には、本発明は、経腸補給セットまたは注入セットおよび同等品に使用するための、クランプ要素を伴うカセット形式のピンチクランプ組立体に関する。クランプ要素は、クランプ要素がカセットと共に経腸補給ポンプまたは注入ポンプの筐体または他の構造に適切に装着されている限り、経腸補給セットを通じた経腸フォーミュラまたは注入セットを通じた液剤のフリーフローを防止する。
【背景技術】
【０００２】
患者へ液剤および食品を投与するための注入および栄養補給セットの使用は、医療分野において周知である。注入セットと栄養補給セットは、経腸投与と非経口投与にそれぞれ使用される。衛生上の理由から注入および経腸セットは、使用後直ちに廃棄されなければならず、後に再生利用可能な使い捨て装置となる。経腸補給ポンプは、様々な理由から通常の摂食ができない患者に栄養および薬剤（フォーミュラ）を供給するために使用される。非経口（点滴）液剤は、適切な水分補給を確保し、必要な栄養素、無機物および薬剤を供給するために患者へ供給される。しばしば、経腸または注入セットは、フォーミュラまたは液剤を患者へ重力により流下させる自立装置内に配置される。現在の市場で入手可能なローラクランプなどの様々なクランプによって、患者に入る液剤の流量を大まかに制御することができる。
【発明の概要】
【発明が解決しようとする課題】
【０００３】
多くの投与では、患者に入る液剤またはフォーミュラの量を正確に制御することが必要である。この場合には、患者へ補給される液剤の流量を制御するために、注入セットと共に注入ポンプなどの制御装置が配置される。ポンプなどを使用する投与では、流れを調節するために用いられるクランプは、一般に、ポンプの適切な機能を妨げないように最大限に開放される。クランプは、経腸補給ポンプまたは注入ポンプが経腸セットまたは注入セットを通じた液体の流れを制御することを見込んで開放される。しかし、緊急事態または他の注意散漫によって、医療従事者が経腸補給ポンプまたは注入ポンプに経腸または注入セットを適切に装着することが妨げられる場合がある。また、ポンプの運転中に経腸または注入セットがポンプから不注意に取り外される場合がある。
【０００４】
経腸または注入セットがポンプに適切に装着されていなくてクランプを開放してしまうと、フリーフローとして知られる状態がしばしば生じる。重力は、ポンプまたは他の調節装置により抑制されずに液剤またはフォーミュラを患者へ自由に流入させる。フリーフロー状態では、所望量の数倍に及ぶ多量の液剤またはフォーミュラを比較的短期間に患者へ供給してしまう。これは、液剤が強い薬剤を含んでいたり、患者の体が液剤またはフォーミュラの大量の流入に適応するのに十分なほど体力的に強くなかったりする場合、特に危険を及ぼす場合がある。よって、経腸または注入セットがポンプまたは他の調節手段に適当に装着されていない場合に、フリーフロー状態を防止する装置が必要である。また、フリーフロー状態の発生に関して耐タンパー性を有する（ｔａｍｐｅｒ−ｒｅｓｉｓｔａｎｔ）ことが重要である。このような経腸補給または注入セットは、数年に及ぶ長期間の保管をさらに要求される。このため、使用中の一様な流れ特性からの逸脱をもたらしうるシリコンチューブの付着変形および連続変形を回避するべきである。
【０００５】
前述したフリーフロー状態を回避するためにいくつかのアプローチがとられている。そのうちの一つは、国際公開第９６／０３０６７９Ａ１号パンフレットに開示されている。そこでは、ピンチクリップ閉塞体は、少なくとも部分的に筐体内に組み込まれた１以上のアームを伴うクランプ機構を用いている。クランプ機構は、アームが注入セットを通じた流れを閉塞する位置と、アームが注入セットを通じたフリーフローを可能にする位置との間でアームを移動することにより、調節機構として働く。これに関連する一つの問題は、圧迫具、締結具または同等品など他の外部要素によりばね力に抵抗する方法でピンチクリップ閉塞体を操作することができる点にある。ピンチクリップ閉塞体を含む注入セットの他の欠点は、注入または経腸補給ポンプへの装着がかなり複雑である点にある。つまり、そのために形成されて回転ユニットなどを包む穴にシリコンチューブを正確に配置しなければならない。さらに、この既知のピンチクリップ閉塞体の主要な欠点は、カニューレ（ｐｒｏｎｅ）を伴うキャップをピンチクリップ閉塞体内に残してチューブを開放するときには、注入セットをポンプへ取り付けていなくてもフリーフロー状態が生じる点にある。
【０００６】
米国特許第４６８９０４３号明細書は、蠕動ＩＶ注入ポンプと共に使用されるＩＶチューブアクティベータを説明している。ＩＶチューブアクティベータは、ＩＶチューブをポンプに係合する際、続いてＩＶチューブの係合を解く際に、チューブに関連付けられたクランプを閉鎖するための手段を備える。このＩＶチューブアクティベータも、かなり複雑な構造を有しており、クランプされたシリコンチューブをその使用前に注入ポンプ内に保管する問題を解決していない。また。ＩＶチューブアクティベータと共に注入セットを設定することは、多くの様々な構成要素に起因して煩雑であり、かつ間違いを生じ易い。
【０００７】
このため、本発明の課題は、患者へ栄養を補給しまたは医療液剤を注入するように構成された経腸補給または注入ポンプにチューブを係合するためのピンチクランプ組立体を提供することにある。ピンチクランプ組立体は、比較的簡素な構造を備え、いつでも機能するフリーフロー防止機構を確保し、シリコンチューブの長期保管を可能にする。
【０００８】
この課題は、請求項１の特徴により解決される。本発明の有利な実施形態は、従属項の主題である。
【０００９】
本発明によれば、患者へ栄養を補給しまたは医療液剤を注入するように構成された経腸補給または注入ポンプにチューブを係合するためのピンチクランプ組立体は、ベースに動作可能に係合した状態でチューブを保持するための保持手段と、第１のクランプ面と、コネクタを支持するための支持手段とを有するベースと、第２のクランプ面を有するクランプ要素であって、第２のクランプ面が、チューブに係合可能であると共に、チューブを通じた液体の流れを可能にする開放位置と、クランプ要素によりチューブを閉塞する閉鎖位置との間を移動可能であるクランプ要素と、患者のポート（ｐｏｒｔ）にチューブを接続するためのコネクタであって、ピンチクランプ組立体から取り外し可能なコネクタとばねを備え、コネクタが、クランプ要素に係合してクランプ要素を開放位置に保持するように構成され、コネクタがピンチクランプ組立体から取り外されるとすぐにクランプ要素がばねの力により開放位置から閉鎖位置へ付勢され、クランプ要素が、ピンチクランプ組立体を経腸補給または注入ポンプへ装着してコネクタを取り外すときに、閉鎖位置から開放位置へ移動されるように構成される。
【００１０】
これにより、ピンチクランプ組立体がその出荷状態にあるときには、患者のポートへ接続されるべきコネクタがまだピンチクランプ組立体の一部であるため、フリーフロー状態が防止される。コネクタを組立体から取り外すとすぐに、バネの力によりクランプ要素がその閉鎖位置へ自動的に移動し、シリコンチューブの圧送部を通じた流れを防止する。これにより、フリーフロー状態は、各コネクタが一端でポートへ接続され、他端で液剤またはフォーミュラ容器へ接続されるときに再び防止される。この状態では、つまりコネクタを取り外した後には、ピンチクランプ組立体を経腸補給または注入ポンプへ挿入することができる。ポンプを挿入するときに、クランプ要素は、ポンプとクランプ要素との相互作用により開放される。しかし、シリコンチューブの圧送部が経腸補給または注入ポンプの圧送機構（回転ユニット）の周りに緊密に巻かれており、シリコンチューブを通じた液剤の流れが防止されるので、フリーフロー状態が生じない。よって、本発明に係るピンチクランプ組立体を備える注入セットのフリーフロー状態は、いつも特にその最初の使用前に回避される。
【００１１】
本発明に係るピンチクランプ組立体の他の利点は、クランプ要素がその開放位置にあり、シリコンチューブが圧縮されたり締め付けされたりせず、従って材料の劣化または付着を防止するので、組立体をその出荷状態で５年などの長期間に亘って保管することができる点にある。また、フリーフロー防止機構は、ピンチクランプ組立体の一体部であり、他の構成要素が回避される。
【００１２】
また、本発明に係るピンチクランプ組立体は、耐タンパー性を有する。これは、通常の利用者にとって、コネクタがまだ組立体内にあるときに、手でクランプ要素を閉鎖することができないためである。フリーフロー状態は、コネクタを切断してその先端部を他の部分から離すことによってのみもたらされるが、これでは、ポート、ルアーロックまたは同等品などの他の部品を取り付けられなければならない特殊なアダプタを両端部に備えるコネクタの機能を必然的に損なうことになる。
【００１３】
好ましくは、クランプ要素は、ベースにヒンジ留めされる。これは、揺り子のような動きと機構を可能にし、ばねとクランプ要素の開放／閉鎖の相互作用を確実にする。スナップイン機構は、クランプ要素に対する十分な固定をもたらす。
【００１４】
有利な実施形態では、コネクタは、経腸スパイク、ＩＶ（ｉｎｔｒａｖｅｎｏｕｓ：静脈）スパイク、経腸補給アダプタ、ＩＶルアーロックアダプタまたは他の経腸もしくはＩＶ構成要素である。経腸補給または注入の分野で既知の利用可能な全てのコネクタを使用することができる。
【００１５】
コネクタは、クランプ要素および／または支持手段へねじ結合されることが好ましい。これは、コネクタがクランプ要素に緊密に固定されることを確実にし、コネクタが組立体から意図せずに落下することを防止する。磁石式手段、バヨネット接続または同様な、クランプ要素に対するコネクタの他の固定手段も可能である。
【００１６】
好適な実施形態では、ベースは、ピンチクランプ組立体を経腸補給または注入ポンプに一体に装着可能なカセットとして形成される。カセットは、嵩張らず、しかも小型の構成を備える平坦な構造をもたらす。
【００１７】
好適な実施形態では、べース、クランプ要素およびコネクタは、熱可塑性プラスチックなどの再生利用可能なプラスチック材料で作られ、ばねは金属で作られ、チューブの圧送部は、シリコンで作られる。これは、ばねだけが異なる材料であるこの使い捨て装置の再生利用作業を簡素化することを可能にする。
【００１８】
好ましくは、ベースは、ばねを収容するための円筒状の保持要素を有する。これは、主要な機能部品の１つであるばねが組立体内のその所定位置に絶えず保持されることを確実にする。
【００１９】
好適な実施形態では、クランプ要素は、チューブ閉塞部を伴う第１の脚部と、ばねに係合するための手段およびコネクタに係合するための保持部を有する第２の脚部と、ベース上の適当な座部に係合するように構成されたスイベルピンとを有する。チューブ閉塞部は、ベースのクランプ面との最適な相互作用を確実にし、ばねに係合するための手段は、ばねがその指定された機能位置に常に留まること確実にし、保持部は、クランプ要素に対するコネクタの係合を確実にする。
【００２０】
他の好適な実施形態では、保持部は、コネクタの先端を収容するように構成されたキャップまたはダストカバーとして構成される。これは、コネクタの案内領域を拡大し、従ってクランプ要素に対するコネクタの適切な係合を確実にする。また、それは、コネクタの開口へのほこりの侵入を防止する。また、そのようなキャップ内またはコネクタ上に、より大きなねじ部領域を設けてもよく、従って係合機能が向上する。
【００２１】
好適な実施形態では、クランプ面が凹凸を有し、波形を付けられ、またはフィンを有する。シリコン配管の特定の要件に応じて、クランプ面の異なる構成を使用することができる。
【００２２】
ベースは、第１の内壁と第２の内壁を有し、第１の内壁と第２の内壁の間にクランプ要素が配置されることが好ましい。これは、チューブの方向と直角にクランプ要素を良好に案内することを確実にし、クランプ要素を取り出す不正操作のために利用可能なアクセスポイントを回避する。
【００２３】
本発明の他の実施形態によれば、経腸補給または注入ポンプは、前述したピンチクランプ組立体と、クランプ要素に係合してクランプ要素を閉鎖位置から開放位置へ解放するように構成された解放手段とを備える。
【００２４】
好ましくは、圧送部を通じた流れは、ピンチクランプ組立体が圧送部に装着されているときにのみ可能となる。これは、ピンチクランプ組立体が注入ポンプへ完全に装着されているときにのみ、フリーフロー防止機構が動作しないことを確実にする。
【課題を解決するための手段】
【００２５】
本発明の上記課題、特徴および利点は、添付の図面に関連して提示された以下の詳細な説明の考察から明らかにされる。
【図面の簡単な説明】
【００２６】
【図１Ａ】本発明に係るピンチクランプ組立体の好適な実施形態に係るカセットの斜視図である。
【図１Ｂ】図１に示したカセットの正面図である。
【図１Ｃ】図１に示したカセットの平面図である。
【図１Ｄ】図１に示したカセットの側面図である。
【図２Ａ】本発明に係るピンチクランプ組立体の第１の実施形態に係るクランプ要素の斜視図である。
【図２Ｂ】本発明に係るピンチクランプ組立体の第１の実施形態に係るクランプ要素の斜視図である。
【図２Ｃ】図２Ａと図２Ｂに示したクランプ要素の正面図である。
【図２Ｄ】図２Ａと図２Ｂに示したクランプ要素の左側面図である。
【図２Ｅ】図２Ａと図２Ｂに示したクランプ要素の平面図である。
【図２Ｆ】図２Ａと図２Ｂに示したクランプ要素の右側面図である。
【図３Ａ】本発明に係るピンチクランプ組立体の第２の実施形態に係るクランプ要素の斜視図である。
【図３Ｂ】本発明に係るピンチクランプ組立体の第２の実施形態に係るクランプ要素の斜視図である。
【図３Ｃ】図３Ａと図３Ｂに示したクランプ要素の正面図である。
【図３Ｄ】図３Ａと図３Ｂに示したクランプ要素の左側面図である。
【図３Ｅ】図３Ａと図３Ｂに示したクランプ要素の平面図である。
【図３Ｆ】図３Ａと図３Ｂに示したクランプ要素の右側面図である。
【図４】本発明に係るピンチクランプ組立体の第２の実施形態を構成要素の組立て前の状態で示す分解斜視図である。
【図５】図４に示したピンチクランプ組立体のばねを伴う詳細図である。
【図６】本発明に係るピンチクランプ組立体の第２の実施形態を第２の装着状態で示す分解斜視図である。
【図７】本発明に係るピンチクランプ組立体の第２の実施形態を第３の装着状態で示す分解斜視図である。
【図８】本発明に係るピンチクランプ組立体の第２の実施形態を出荷状態で示す斜視図である。
【図９Ａ】図８のピンチクランプ組立体の異なる斜視図である。
【図９Ｂ】図８のピンチクランプ組立体の異なる斜視図である。
【図１０Ａ】本発明に係るピンチクランプ組立体の第２の実施形態をクランプ要素の取り外し状態で示す斜視図である。
【図１０Ｂ】本発明に係るピンチクランプ組立体の第２の実施形態をクランプ要素の取り外し状態で示す斜視図である。
【発明を実施するための形態】
【００２７】
図１Ａは、本発明に係るピンチクランプ組立体の好適な実施形態の主要な構成要素を示す斜視図である。主要な構成要素は、組立体のベースを形成するカセット１からなる。カセット１は、ほぼ矩形の比較的平らな構造を有する。カセット１をポリプロピレン、ポリスチレン、ポリエチレンまたはアクリロニトリル・ブタジエン・スチレン（ＡＢＳ）などの熱可塑性材料から射出成形により製造する場合を想定する。なお、他の適当な熱可塑性プラスチックを用いてもよい。カセット１は、シリコンチューブ（この図では不図示）の圧送部を異なる側部で支持するための４つの保持手段３を備えている。シリコンチューブを収容するための保持手段３は、カセット１の中心に向けて長手方向の縁部に配置されている。ベースまたはカセット１は、保持手段３に隣接する第１のクランプ面４をさらに備えている。第１のクランプ面４は、平らであり、カセット１の基面とほぼ並行である。その領域は、チューブの最適なクランプをもたらすに足るほど大きい。カセット１には、支持手段５が設けられている。支持手段５は、カセット１の側壁に形成されたほぼ円形の穴と、支持手段５を収容する側壁とほぼ並行な内壁１１に形成されたほぼ円形の別の穴との形で設けられている。ほぼ円形の穴同士は、ほぼ同一の軸を有し、詳細について後述するコネクタを支持するために設けられている。カセット１は、後述するばねを収容するように構成される円筒状の保持要素１４をさらに備えている。チューブの方向とほぼ直角に並行な内壁２２、２３が形成されている。また、カセット１の基面には、座部２１が形成されている。本発明にとって本質的ではない構成要素により図を必要以上に複雑にしないために、現時点ではチューブが省略されている。カセット１の底部は、回転ユニット用の穴９を備えている。ピンチクランプ組立体を経腸補給または注入ポンプへ装着するときには、本発明に係る回転ユニット用の穴９により解放された空間へ蠕動回転ユニットのピンが取り付けられる。保持手段３の爪状の接触領域は、シリコンチューブの緊密な取り付けをもたらすに足るほど十分に大きい。
【００２８】
図１Ｂ、図１Ｃおよび図１Ｄのそれぞれは、図１のピンチクランプ組立体の構成要素の前面図、平面図および側面図である。ここで、同一の要素には、同一の符号が付されている。
【００２９】
図２Ａおよび図２Ｂは、本発明に係るピンチクランプ組立体の第１の実施形態に係るクランプ要素７の斜視図である。クランプ要素７は、ピンチクランプ組立体の中心要素であり、チューブ閉塞部１７を伴う第１の脚部１５と、ばね１２（不図示）との係合のための手段１６を有する第２の脚部１９と、コネクタ６との係合のための保持部１８とにより形成されている。第１の脚部１５および第２の脚部１９は、約１０〜２０°の角度で互いに対向しており、それらの間に位置するスイベルピン２０により揺り子状の構成が形成されている。スイベルピン２０は、カセット１に形成された座部２１へ取り付けられるように構成されている。また、クランプ要素７は、内部側壁２２、２３の間に案内されて囲まれている。チューブ閉塞部１７は、カセット１の第１のクランプ面４と相互作用して係合するように構成される第２のクランプ面８を備えている。手段１６は、ばね２の完全な取り付けを実現するように設計されている。安定性を目的として、第１の脚部１５、第２の脚部１９、手段１６およびチューブ閉塞部１７の間には、Ｔ形材状のリンクが設けられている。
【００３０】
図２Ｃ、図２Ｄ、図２Ｅおよび図２Ｆのそれぞれは、図２Ａおよび図２Ｂに示したクランプ要素の前面図、左側面図、平面図および右側面図である。ここで、同一の要素には、同一の符号が付されている。
【００３１】
図２Ａから図２Ｆに示した実施形態では、保持部１８は、コネクタ６の先端を収容するためのリングとして概ね形成されている。第２の脚部１９と保持部１８の間の接続は、本発明に係るピンチクランプ組立体の一部としてのクランプ要素７の最適な動作を確保するために非常に固くすべきである点に留意しなければならない。
【００３２】
図３Ａおよび図３Ｂは、本発明に係るピンチクランプ組立体の第２の実施形態に係るクランプ要素７の斜視図を示している。第１と第２の実施形態の違いは、保持部１８の形状にある。第２の実施形態では、保持部１８は、クランプ要素７の揺れ方向とほぼ直角に延びる細長い円筒キャップまたはダストカバーとして形成されている。第１の実施形態の保持部１８のリングをその中心軸沿いに延長すると、第２の実施形態の保持部１８の形状となる。円筒キャップ以外の形状も可能である点に留意しなければならない。また、保持部１８は、内側に平坦面またはねじ部を備えてもよい。詳細について後述するように、コネクタ６に対する保持部１８の相互作用が重要である。
【００３３】
図３Ｃ、図３Ｄ、図３Ｅおよび図３Ｆのそれぞれは、図３Ａおよび図３Ｂに示したクランプ要素の前面図、左側面図、平面図および右側面図である。ここで、同一の要素には、同一の符号が付されている。
【００３４】
図４は、本発明に係るピンチクランプ組立体の第２の実施形態を構成要素の組立前の状態で示している拡大斜視図である。チューブ１０は、シリコンまたは他の適当な材料で作られた圧送部を備えている。チューブ１０の両端には、シリコンチューブ１０を保持すると共に、ピンチクランプ組立体のカセット１の長手方向の端部に設けられた保持手段３へ取り付けられるように構成されている２つのチューブ取り付け要素２４が設けられている。良好な取り付けをもたらすために、チューブ取り付け要素２４は、カセット１の保持手段３に形成された穴に係合するように構成されるフランジを備えている。図６は、本発明に係るピンチクランプ組立体へ取り付けられたチューブ１０を示している。通常、注入セット全体の配管部のうち圧送部のみをシリコンで作り、チューブの他の部分をＰＶＣ（ポリ塩化ビニル）で作る点に留意されたい。また、ＰＶＣチューブなど注入セットの他の構成要素は、本発明の原理に寄与しないので、添付図面に示されていない点に留意しなければならない。
【００３５】
本発明に係るピンチクランプ組立体の他の主要な構成要素は、金属または同様の特性を伴う他の適当な材料からなるばね１２である。カセットまたはベース１へクランプ要素７が装着可能となる前に、図５から詳細に分かるように、円筒状の保持要素１４にばね１２を挿入しなければならない。その後、図示した実施形態では経腸アダプタであるコネクタ６をクランプ要素７と共に組立体へ装着することができる（図６参照）。クランプ要素７のスイベルピン２０をばね１２の力に抗してカセット１の座部２１に挿入しなければならない。これにより、チューブ１０は、ベース１の第１のクランプ面４と、クランプ要素７のチューブ閉塞部１７の第２のクランプ面８との間で圧縮される。図示した実施形態では、チューブ閉塞部１７と第２の脚部１９のクランプ面が平らである。しかし、クランプ面は、シリコンチューブの特性に応じてクランプ要素７の圧迫機能を助けるように、凹凸を有し、波形を付けられ、またはフィンを有してもよい。
【００３６】
本発明の課題によれば、ピンチクランプ組立体の出荷状態でチューブが圧縮されてはならない。このため、クランプ面同士が離れた状態のままとなるようにクランプ要素７をいくらか傾けなければならない。これは、一端が円筒状の保持要素１４内にあり、他端が手段１６上にあるばね１２を圧縮するように、第２の脚部１９上でクランプ要素７を押し下げることにより達成される。そして、第２の脚部１９の最も低い位置、つまり手段１６が円筒状の保持要素１４にほぼ接触するときに、その一方でカセット１の側壁および内壁１１に支持部５を通じて挿入されるコネクタ６（図７参照）をクランプ要素７の保持部またはキャップ１８へ挿入するように、その先端を伴ってその軸沿いにさらに移動させる。保持部またはキャップ１８は、この第２の実施形態では、クランプ要素側で閉鎖される円筒として形成されており、従って係合している状態でコネクタ６へのダストの進入を防止する。この係合は、第１および第２のクランプ面４、８を離し、従ってチューブ１０を解放するように、第２の脚部１９の側にクランプ要素７を下げて、第１の脚部１５を上げた状態に保つロック機構としての役目を果たす。チューブ１０を開放し、クランプ要素７をばね１２の力に抗して下げた状態に保つこの位置を開放位置と称する。
【００３７】
図８、図９Ａおよび図９Ｂは、本発明に係るピンチクランプ組立体の第２の実施形態を開放位置で異なる側面から示している。軸方向に引っ張らなければコネクタ６が組立体から落ちないようにコネクタ６を保持部１８に固く係合している点に留意しなければならない。これらの図は、一端部にテーパーフィットを備える経腸アダプタをコネクタ６として示している。他の形式のコネクタを使用することもでき、コネクタ６を外向きの端部でチューブに液剤結合（ｓｏｌｖｅｎｔ  ｂｏｎｄｉｎｇ）などを介して直接接続する点に留意されたい。チューブへ接続するためにルアー型ロックを使用することもできる。
【００３８】
互いに対向する面にねじ部を設けることにより、コネクタ６と保持部１８の間の係合、および／またはカセット１の側壁の支持部５と内壁１１の間の係合を改良してもよい。これは、保持部１８をキャップまたはダストカバーとして形成する、図に示した第２の実施形態の場合に特に好ましい。
【００３９】
前述したようにピンチクランプ組立体に装着したコネクタ６を伴う開放位置は、出荷状態を示している。経腸補給または注入ポンプへピンチクランプ組立体を装着するために、コネクタ６を組立体から取り外さなければならず、コネクタを患者のポートへ装着しなければならず、コネクタを伴わない組立体をポンプの対応するスロットへ挿入しなければならない。
【００４０】
ピンチクランプ組立体からコネクタ６を取り外すと直ぐに、クランプ要素７は、閉鎖位置へ向かい、それによりチューブ１０を通じた流れを閉塞する。コネクタ６の取り外しは、コネクタの先端を保持部１８（キャップもしくはダストカバーまたはリング）との係合から離すことを意味している。この離脱は、クランプ要素７の手段１６を押し付けて第２の脚部１９を持ち上げるばね１２を解放する。結果として、これは、シリコンチューブ１０を間にしてクランプ面４、８を互いに押し付けるので、チューブ１０を直ちに閉鎖することになる。クランプ要素７は、従ってばね１２の状態に応じてチューブ１０を通じた流れを開放および閉鎖する傾動スイッチの役目を果たす。本発明に係るピンチクランプ組立体の第２の実施形態の異なる斜視図を示す図１０Ａおよび図１０Ｂからも、閉鎖位置が分かる。
【００４１】
本発明の主要な原理は、コネクタ６を固く係合し、従ってピンチクランプ組立体の一体部分としている間には、組立体が出荷状態および開放位置にある点にある。コネクタ６を組立体内に緊密に保持しており、コネクタ６を組立体から取り外すと直ぐにクランプ要素７をその閉鎖位置に持ってくるので、フリーフロー状態を発生することができない。よって、ピンチクランプ組立体をポンプへ挿入する前には、シリコンチューブ１０を通じた流れがいつも閉塞される。
【００４２】
図１０Ａおよび図１０Ｂに示したピンチクランプ組立体は、そのままで経腸補給または注入ポンプへ装着されるように構成されている点に留意されたい。もちろん、装着が可能となる前には、コネクタ６を取り外さなければならない。コネクタ６を取り外してピンチクランプ組立体を経腸補給または注入ポンプへ装着するときには、クランプ要素７は、まだその閉鎖位置にあり、それによりシリコンチューブ１０の圧送部を通じた液体の流れを閉塞する。フリーフロー状態は、従って回避される。しかし、ピンチクランプ組立体の他の構成要素を伴うカセット１を経腸補給または注入ポンプへ挿入すると直ぐに、シリコンチューブ１０の圧送部の閉塞状態を解かなければならない。図１０Ａおよび図１０Ｂからは、第２の脚部１９がその上面で組立体の他の部分の上面から突出していることが分かる。このため、ポンプには、ばね１２の力に抗してクランプ要素７の第２の脚部１９を押し下げ、従ってチューブ１０を通じた流れを開放するようにクランプ面４、８同士を離した状態にする解放手段が備えられている。当業者であれば、クランプ要素７の第２の脚部１９を押し下げるためのポンプの様々なデザインを検討するであろう。
【００４３】
以上、ロック解放機構の好適な実施形態について説明した。磁石式の解決策、固定手段を伴う解決策など、他のロック解放機構も可能である点に留意されたい。全ての代替解決策は、しかし、コネクタ６の取り外しなしに、手または医療従事者が容易に入手可能な工具によりクランプ要素７を容易に開放できないような耐タンパー性を有する、という中心的な要件を満たすべきである。
【００４４】
本発明の主題によって、患者へ栄養を補給しまたは医療液剤を注入するように構成された経腸補給または注入ポンプにチューブを係合するためのピンチクランプ組立体が提供される。ピンチクランプ組立体は、比較的簡素な構造を備え、いつでも機能するフリーフロー防止機構を確保する。
【図１Ａ】
0005526228.tif 000002
【図１Ｂ】
0005526228.tif 000003
【図１Ｃ】
0005526228.tif 000004
【図１Ｄ】
0005526228.tif 000005
【図２Ａ】
0005526228.tif 000006
【図２Ｂ】
0005526228.tif 000007
【図２Ｃ】
0005526228.tif 000008
【図２Ｄ】
0005526228.tif 000009
【図２Ｅ】
0005526228.tif 000010
【図２Ｆ】
0005526228.tif 000011
【図３Ａ】
0005526228.tif 000012
【図３Ｂ】
0005526228.tif 000013
【図３Ｃ】
0005526228.tif 000014
【図３Ｄ】
0005526228.tif 000015
【図３Ｅ】
0005526228.tif 000016
【図３Ｆ】
0005526228.tif 000017
【図４】
0005526228.tif 000018
【図５】
0005526228.tif 000019
【図６】
0005526228.tif 000020
【図７】
0005526228.tif 000021
【図８】
0005526228.tif 000022
【図９Ａ】
0005526228.tif 000023
【図９Ｂ】
0005526228.tif 000024
【図１０Ａ】
0005526228.tif 000025
【図１０Ｂ】
0005526228.tif 000026